(57)【要約】【課題】  鎌部材の戸枠側への突出度を簡単に調整することができる錠装置を提供する。【解決手段】  戸２に埋設される錠ケース３と、錠ケース３の戸枠４側に配置されて戸２の戸枠側端面２ａに取り付けられる端板６と、錠ケース３から戸枠４側に出退移動自在に設けられた鎌部材８とを備え、鎌部材８が錠ケース３から戸枠４側に突出したときに戸枠４側の係止部１６に戸２が開かなくなるように係合するようにした錠装置において、端板６が錠ケース３に対して鎌部材８の出退方向に移動調整自在に取り付けられている。【選択図】図１
2013234471.tif 000002
【特許請求の範囲】
【請求項１】
戸（２）に埋設される錠ケース（３）と、錠ケース（３）の戸枠（４）側に配置されて戸（２）の戸枠側端面（２ａ）に取り付けられる端板（６）と、錠ケース（３）から戸枠（４）側に出退移動自在に設けられた鎌部材（８）とを備え、鎌部材（８）が錠ケース（３）から戸枠（４）側に突出したときに戸枠（４）側の係止部（１６）に戸（２）が開かなくなるように係合するようにした錠装置において、
端板（６）が錠ケース（３）に対して鎌部材（８）の出退方向に移動調整自在に取り付けられていることを特徴とする錠装置。
【請求項２】
端板（６）に、錠ケース（３）に対して鎌部材（８）の出退方向に移動自在に外嵌する嵌合筒体（４５）が設けられ、嵌合筒体（４５）に鎌部材（８）の出退方向の長孔（４６）が設けられ、長孔（４６）に挿通される締結具（４９）により嵌合筒体（４５）を錠ケース（３）に対して長孔（４６）の範囲で鎌部材（８）の出退方向に移動調整自在に締め付け固定するようにしたことを特徴とする請求項１に記載の錠装置。
【請求項３】
戸（２）の戸枠側端面（２ａ）に接着されるクッション材（５１）に端板（６）の嵌合筒体（４５）が挿通される挿通孔（５２）が設けられ、クッション材（５１）が挿通孔（５２）を介して嵌合筒体（４５）に外嵌され、クッション材（５１）の挿通孔（５２）の孔外周部が端板（６）と戸（２）の戸枠側端面（２ａ）との間で挟持され、端板（６）を固定具（４１）でクッション材（５１）と共に戸（２）の戸枠側端面（２ａ）に締め付け固定するようにしたことを特徴とする請求項２に記載の錠装置。
【請求項４】
前記端板（６）との間で戸（２）の戸枠側端面（２ａ）に接着されるクッション材（５１）を挟持する挟持板（５６）が具備され、該挟持板（５６）は、端板（６）よりも鎌部材突出方向側に配置されると共に錠ケース（３）に対して鎌部材（８）の出退方向に移動調整自在に取り付けられていることを特徴とする請求項１に記載の錠装置。
【請求項５】
挟持板（５６）に、錠ケース（３）に対して鎌部材（８）の出退方向に移動自在に外嵌する外嵌筒体（６２）が設けられ、端板（６）に、挟持板（５６）の外嵌筒体（６２）を介して錠ケース（３）に対して鎌部材（８）の出退方向に移動自在に外嵌する嵌合筒体（４５）が設けられ、嵌合筒体（４５）に鎌部材（８）の出退方向の長孔（４６）が設けられ、長孔（４６）に挿通される締結具（４９）により嵌合筒体（４５）が錠ケース（３）に対して長孔（４６）の範囲で鎌部材（８）の出退方向に移動調整自在に締め付け固定され、
クッション材（５１）に挟持板（５６）の外嵌筒体（６２）が挿通される挿通孔（５２）が設けられ、クッション材（５１）が挿通孔（５２）を介して外嵌筒体（６２）に外嵌され、クッション材（５１）の挿通孔（５２）の孔外周部が挟持板（５６）と端板（６）との間で挟持され、挟持板（５６）と端板（６）とをクッション材（５１）の前記孔外周部を挟んで締結具（６８）で締め付け固定するようにしたことを特徴とする請求項４に記載の錠装置。
【発明の詳細な説明】
【技術分野】
【０００１】
本発明は、錠ケースから戸枠側に出退移動自在に設けられた鎌部材を備える錠装置に関するものである。
【背景技術】
【０００２】
引き戸又は開き戸に装着される錠装置には、戸に埋設される錠ケースと、錠ケースの戸枠側に配置されて戸の戸枠側端面に取り付けられる端板と、錠ケースから戸枠側に出退移動自在に設けられた鎌部材とを備え、鎌部材が錠ケースから戸枠側に突出したときに戸枠側に設けた受け体の係止部に戸が開かなくなるように係合するようにしたものがあり、この種の従来の錠装置では、端板が錠ケースの戸枠側端部に一体に固着して設けられていた（例えば引用文献１、２）。
【先行技術文献】
【特許文献】
【０００３】
【特許文献１】特開２００８−６３７６９号公報
【特許文献２】特開２００７−１２０１８２号公報
【発明の概要】
【発明が解決しようとする課題】
【０００４】
しかし、従来の場合、端板をビス等の固定具で戸の戸枠側端面に取り付けると、戸に埋設される錠ケースの鎌部材出退方向の位置が固定されてしまい、このため、鎌部材の戸枠側への突出度を調整することができず、例えば、戸を閉めた際の戸枠と戸との隙間が大きいと、鎌部材が戸枠に設けた受け体の係止部に届きにくくなって、戸を戸枠に対してうまく施錠することができなくなったり、また、例えば、戸を閉めた際の戸枠と戸との隙間が小さいと、鎌部材の受け体の係止部への係合が緩くなって施錠が甘くなったりするという問題があった。
【０００５】
本発明は上記問題点に鑑み、鎌部材の戸枠側への突出度を簡単に調整することができる錠装置を提供することを目的としている。
【課題を解決するための手段】
【０００６】
本発明における課題解決のための具体的手段は、次の通りである。
この技術的課題を解決する本発明の技術的手段は、戸２に埋設される錠ケース３と、錠ケース３の戸枠４側に配置されて戸２の戸枠側端面２ａに取り付けられる端板６と、錠ケース３から戸枠４側に出退移動自在に設けられた鎌部材８とを備え、鎌部材８が錠ケース３から戸枠４側に突出したときに戸枠４側の係止部１６に戸２が開かなくなるように係合するようにした錠装置において、
端板６が錠ケース３に対して鎌部材８の出退方向に移動調整自在に取り付けられている点にある。
【０００７】
また、本発明の他の技術的手段は、端板６に、錠ケース３に対して鎌部材８の出退方向に移動自在に外嵌する嵌合筒体４５が設けられ、嵌合筒体４５に鎌部材８の出退方向の長孔４６が設けられ、長孔４６に挿通される締結具４９により嵌合筒体４５を錠ケース３に対して長孔４６の範囲で鎌部材８の出退方向に移動調整自在に締め付け固定するようにした点にある。
【０００８】
また、本発明の他の技術的手段は、戸２の戸枠側端面２ａに接着されるクッション材５１に端板６の嵌合筒体４５が挿通される挿通孔５２が設けられ、クッション材５１が挿通孔５２を介して嵌合筒体４５に外嵌され、クッション材５１の挿通孔５２の孔外周部が端板６と戸２の戸枠側端面２ａとの間で挟持され、端板６をビス等の固定具４１でクッション材５１と共に戸２の戸枠側端面２ａに締め付け固定するようにした点にある。
【０００９】
また、本発明の他の技術的手段は、前記端板６との間で戸２の戸枠側端面２ａに接着されるクッション材５１を挟持する挟持板５６が具備され、該挟持板５６は、端板６よりも鎌部材突出方向側に配置されると共に錠ケース３に対して鎌部材８の出退方向に移動調整自在に取り付けられている点にある。
また、本発明の他の技術的手段は、挟持板５６に、錠ケース３に対して鎌部材８の出退方向に移動自在に外嵌する外嵌筒体６２が設けられ、端板６に、挟持板５６の外嵌筒体６２を介して錠ケース３に対して鎌部材８の出退方向に移動自在に外嵌する嵌合筒体４５が設けられ、嵌合筒体４５に鎌部材８の出退方向の長孔４６が設けられ、長孔４６に挿通される締結具４９により嵌合筒体４５が錠ケース３に対して長孔４６の範囲で鎌部材８の出退方向に移動調整自在に締め付け固定され、
クッション材５１に挟持板５６の外嵌筒体６２が挿通される挿通孔５２が設けられ、クッション材５１が挿通孔５２を介して外嵌筒体６２に外嵌され、クッション材５１の挿通孔５２の孔外周部が挟持板５６と端板６との間で挟持され、挟持板５６と端板６とをクッション材５１の前記孔外周部を挟んで締結具６８で締め付け固定するようにした点にある。
【発明の効果】
【００１０】
本発明によれば、端板が錠ケースに対して鎌部材の出退方向に移動調整自在に取り付けられているので、端板をビス等の固定具で戸の戸枠側端面に取り付けた場合でも、端板乃至戸の戸枠側端面に対して、錠ケースの鎌部材出退方向への位置を移動調整して錠ケースを戸に埋設することができ、これにより、鎌部材の戸枠側への突出度を簡単に調整することができる。
【００１１】
従って、例えば、戸を閉めた際の戸枠と戸との隙間が大きい場合等に、鎌部材が戸枠に設けた受け体の係止部に届きにくくなって、戸を戸枠に対してうまく施錠することができなくなるのを、鎌部材の戸枠側への突出度を調整することによって確実に防止できるし、また、例えば、戸を閉めた際の戸枠と戸との隙間が小さい場合等に、鎌部材の受け体の係止部への係合が緩くなって施錠が甘くなったりするのを、鎌部材の戸枠側への突出度を調整することによって確実に防止できる。
【図面の簡単な説明】
【００１２】
【図１】本発明の第１実施形態を示す錠装置の側面断面図である。
【図２】同端板及び嵌合筒体を示し、（ａ）はその平面図、（ｂ）はその側面、（ｃ）はその背面図である。
【図３】同錠ケース側の側面断面図である。
【図４】同錠ケース側の正面図である。
【図５】同受け体を示し、（ａ）はその正面図、（ｂ）はその側面図である。
【図６】第２実施形態を示す錠装置の側面断面図である。
【図７】第３実施形態を示す錠装置の側面断面図である。
【図８】同端板及び嵌合筒体を示し、（ａ）はその平面図、（ｂ）はその側面、（ｃ）はその背面図である。
【図９】同中間筒体を示し、（ａ）はその側面図、（ｂ）はその背面図である。
【図１０】同挟持体及び外嵌筒体を示し、（ａ）はその側面図、（ｂ）はその背面図である。
【図１１】同クッション材を示し、（ａ）その平面断面図、（ｂ）はその正面図である。
【発明を実施するための形態】
【００１３】
以下、本発明の実施形態を図面に基づいて説明する。
図１〜図５は本発明の第１実施形態を示している。図１〜図５において、錠装置１は、戸２に埋設される錠ケース３と、錠ケース３の戸枠４側に配置されて戸２の戸枠側端面２ａに取り付けられる端板６と、錠ケース３から戸枠４側に出退移動自在に設けられた鎌部材８と、錠ケース３に鎌部材８の出退方向に移動自在に保持されたスライド部材９と、戸枠４側に取り付けられる受け体１０とを備える。なお、前記戸２は開き戸であっても引き戸であっても良い。
【００１４】
受け体１０は、戸枠４の戸側端面４ａに添って配置固定される接当板１３と、接当板１３から突出した角筒状の筒状体１４とを有し、接当板１３の中央部に、スライド部材９が前後貫通状に挿通される長方形状の挿通孔１５が設けられ、筒状体１４内に鎌部材８を係
止する係止部１６が設けられている。
接当板１３の上部と下部とに取付孔１７が設けられており、接当板１３を戸枠４の戸側端面４ａに形成した取付凹部１９に嵌合することにより、接当板１３を戸枠４の戸側端面４ａに接当配置して取付孔１７を利用して木ねじ等の固定具２０で戸枠４の戸側端面４ａに締め付け固定するようになっている。
【００１５】
錠ケース３は前後方向（鎌部材８の出退方向）に長い角筒状に形成され、前後に貫通した長方形状の筒孔２３を有している。錠ケース３の後部に後述するスライド部材９の係止凹部３６に対応して開口窓２４が設けられている。
スライド部材９は、図４に示すように４枚の長方形状の金属板９ａ，９ｂ，９ｃ，９ｄを厚み（左右）方向に重合固着してなり、錠ケース３に筒孔２３を介して鎌部材８の出退方向（前後方向）に摺動自在に保持されている。スライド部材９の前部の上側に、厚み方向中央側の２枚の金属板９ｂ，９ｃに長方形の切り欠き部を形成してなる収納凹部２５が形成されている。
【００１６】
鎌部材８は、図４に示すように２枚の金属板８ａ，８ｂを厚み（左右）方向に重合固着してなり、前部側に上方に向けて鈎形に突出したフック部２７を有している。鎌部材８はスライド部材９の収納凹部２５に収納され、収納凹部２５内で鎌部材８の後部がスライド部材９に対して支軸２８廻りに揺動自在に支持されている。
錠ケース３と鎌部材８との間に、鎌部材８を支軸２８廻りに揺動させる連動機構３０が設けられている。連動機構３０は、錠ケース３の上部の前側に上方に向けて凹状に形成した連動凹部３１と、鎌部材８の後部に上方突設した係合突部３２とを有し、スライド部材９が戸枠４側（前方側）に突出移動したときに、係合突部３２が連動凹部３１の前縁部に後側から押圧接当することにより、鎌部材８が支軸２８廻りに上方（矢印ａ方向）に揺動して、フック部２７を介して受け体１０の係止部１６に係合し、これにより戸２が開かなくなるように構成されている。また、スライド部材９が戸枠４側から後退（後方）移動したときに、係合突部３２が連動凹部３１の前縁部から後側に離間することにより、鎌部材８の重量の作用で鎌部材８を支軸２８廻りに下方（矢印ｂ方向）に揺動させて、受け体１０の係止部１６への係合を解除させるように構成されている。
【００１７】
従って、スライド部材９が戸枠４側に突出移動したとき、鎌部材８がスライド部材９と共に戸枠４側に突出して、受け体１０の係止部１６に係合し、スライド部材９が戸枠４側から後退移動したときに、鎌部材８が受け体１０の係止部１６から外れて、スライド部材９と共に戸枠４側から後退するようになっている。
スライド部材９を鎌部材８の出退方向に移動させる操作シリンダ３５が、錠ケース３の後部から戸２の外側方（戸２の厚み方向外方）に突出するように設けられている。
【００１８】
スライド部材９の後部外側面に係止凹部３６が設けられ、係止凹部３６は開口窓２４を通して錠ケース３の外側方に露出されていて、操作シリンダ３５側に錠ケース３の外側方から係止凹部３６に係合する図示省略の操作突起が設けられており、例えば操作シリンダ３５のキー孔３７にキーを挿入して該キーを矢印ｃ方向に回転することにより、係止凹部３６に係合した操作突起が鎌部材突出方向に移動して、スライド部材９を鎌部材突出方向に移動させ、キー孔３７に挿入したキーを矢印ｄ方向に回転することにより、係止凹部３６に係合した操作突起が鎌部材後退方向に移動して、スライド部材９を鎌部材後退方向に移動させるようになっている。
【００１９】
端板６の上部と下部とに取付孔３９が設けられており、端板６を戸２の戸枠側端面２ａに形成した取付凹部４０に嵌合することにより、端板６を戸枠４の戸側端面４ａに接当配置して取付孔３９を利用して木ねじ等の固定具４１で戸２の戸枠側端面２ａに締め付け固定するようになっている。
端板６の中央部に、スライド部材９が前後に貫通状に挿通される長方形状の挿通孔４４が、前記受け体１０の挿通孔１５に対応して設けられている。また、端板６に、錠ケース３に対して鎌部材出退方向に移動自在に外嵌する角筒状の嵌合筒体４５が後方突出状に設けられ、嵌合筒体４５の上部と下部とに鎌部材８の出退方向の長孔４６がそれぞれ設けられ、錠ケース３の前部の上部と下部とに、長孔４６に対応してタップネジ孔４７が設けら
れており、長孔４６に挿通されかつタップネジ孔４７に螺合されるビス等の上下一対の締結具４９により、嵌合筒体４５を錠ケース３に対して長孔４６の範囲で鎌部材８の出退方向に移動調整自在に締め付け固定するようにしている。従って、端板６が錠ケース３に対して鎌部材８の出退方向に移動調整自在に取り付けられている。
【００２０】
上記第１実施形態によれば、戸２に端板６及び錠ケース３を取り付ける場合、戸２の戸枠側端面２ａに取付凹部４０を形成した後、端板６を取付凹部４０に嵌合して戸２の戸枠側端面２ａに接当し、この状態で端板６を固定具４１で戸２の戸枠側端面２ａに締め付け固定する。
その後、錠ケース３の戸枠４側（前側）を嵌合筒体４５に内嵌して、錠ケース３を嵌合筒体４５に対して鎌部材出退方向に摺動して、端板６乃至戸２の戸枠側端面２ａに対し錠ケース３の鎌部材出退方向への位置を移動調整し、その後に、ビス等の上下一対の締結具４９を、長孔４６に挿通すると共にタップネジ孔４７を介して錠ケース３に螺合して、嵌合筒体４５に錠ケース３を締め付け固定すればよい。
【００２１】
従って、錠ケース３を嵌合筒体４５に対して長孔４６の範囲で鎌部材出退方向に移動調整して、錠ケース３を嵌合筒体４５に対して締め付け固定することができ、これにより、鎌部材８の戸枠４側への突出度を簡単かつ高精度で調整することができる。
従って、例えば、戸２を閉めた際の戸枠４と戸２との隙間が大きい場合等に、鎌部材８が戸枠４に設けた受け体１０の係止部１６に届きにくくなって、戸２を戸枠４に対してうまく施錠することができなくなるのを、鎌部材８の戸枠４側への突出度を調整することによって確実に防止できる。また、例えば、戸２を閉めた際の戸枠４と戸２との隙間が小さい場合等に、鎌部材８の受け体１０の係止部１６への係合が緩くなって施錠が甘くなったりするのを、鎌部材８の戸枠４側への突出度を調整することによって確実に防止できる。
【００２２】
図６は本発明の第２実施形態を示している。図６において、戸２の戸枠側端面２ａに接着されるクッション材５１に端板６の嵌合筒体４５が挿通される挿通孔５２が設けられ、クッション材５１が挿通孔５２を介して嵌合筒体４５に外嵌され、クッション材５１の挿通孔５２の孔外周部が端板６と戸２の戸枠側端面２ａとの間で挟持され、端板６を上下一対の木ねじ等の固定具４１でクッション材５１と共に戸２の戸枠側端面２ａに締め付け固定するようにしている。その他の点は前記実施形態の場合と同様の構成である。なお、クッション材５１は後述する図１１に示すクッション材と同様の構成である。
【００２３】
上記第２実施形態によれば、前記第１実施形態の場合と同様の作用効果を有する他に、クッション材５１によって、戸２を閉める際の騒音の発生を効果的に防止することができる。
しかも、戸２の戸枠側端面２ａに接着されるクッション材５１を設けることによって、鎌部材８が戸枠４に設けた受け体１０の係止部１６に届きにくくなって、戸２を戸枠４に対してうまく施錠することができなくなったり、鎌部材８の受け体１０の係止部１６への係合が緩くなって施錠が甘くなったりするのを、錠ケース３を端板６に対して鎌部材出退方向に移動調整して鎌部材８の戸枠４側への突出度を調整することにより確実に防止でき、クッション材５１を設けることによって錠装置１の機能に支障が生じないようになし得る。
【００２４】
また、従来のように戸２に埋設される錠ケース３と戸２の戸枠側端面２ａに取り付けられる端板６とが一体に構成されている場合には、クッション材５１を端板６と戸２の戸枠側端面２ａとの間で挟持するには、クッション材５１を挿通孔５２を介して錠ケース３の後端から外嵌して端板６の後側まで移動させる必要があり、クッション材５１を端板６と戸２の戸枠側端面２ａとの間に配置することが非常に困難な作業になるが、第２実施形態では、戸２に埋設される錠ケース３と戸２の戸枠側端面２ａに取り付けられる端板６とが別体に構成されているため、クッション材５１を端板６と戸２の戸枠側端面２ａとの間で挟持するには、端板６の嵌合筒体４５をクッション材５１の挿通孔５２に前側から挿入した後に、錠ケース３の前部に外嵌して締結具４９で錠ケース３に締め付け固定すればよく、クッション材５１を端板６と戸２の戸枠側端面２ａとの間に配置することが非常に簡単な作業で済むようになる。
【００２５】
図７〜図１１は本発明の第３実施形態を示している。図７〜図１１において、端板６との間で戸２の戸枠側端面２ａに接着されるクッション材５１を挟持する挟持板５６と、錠ケース３に前後摺動自在に外嵌すると共に端板６の嵌合筒体４５が前後摺動自在に外嵌する中間筒体５７とが具備され、挟持板５６は、端板６よりも鎌部材突出方向側に配置されている。
【００２６】
挟持板５６の上部と下部とに取付孔５９が設けられ、挟持板５６の中央部に、スライド部材９が前後に貫通状に挿通される長方形状の挿通孔６０が、前記受け体１０の挿通孔１５に対応して設けられている。また、挟持板５６に、錠ケース３に対して鎌部材出退方向に移動自在に外嵌する角筒状の外嵌筒体６２が後方突出状に設けられている。
中間筒体５７は、角筒状に形成されて挟持板５６の外嵌筒体６２の後方側で錠ケース３に鎌部材出退方向に移動自在に外嵌され、中間筒体５７の上部と下部とに鎌部材出退方向の長孔６４が形成されている。
【００２７】
前記第１実施形態の場合と同様に、端板６の上部と下部とに取付孔３９が設けられており、端板６を戸２の戸枠側端面２ａに形成した取付凹部４０に嵌合することにより、端板６を戸枠４の戸側端面４ａに接当配置して取付孔３９を利用して木ねじ等の固定具４１で戸２の戸枠側端面２ａに締め付け固定するようになっている。
端板６の上部及び下部であって上下の取付孔３９よりも上下方向の中央部寄りに、前記挟持板５６の取付孔５９に対応して上下一対のタップネジ孔６６が設けられており、ビス等の締結具６８を取付孔５９に挿通すると共にタップネジ孔６６に螺合して締め付けることにより、挟持板５６を端板６に対して締め付け固定するようになっている。
【００２８】
端板６の中央部に、挟持板５６の外嵌筒体６２が前後貫通状に内嵌挿通される長方形状の挿通孔４４が設けられている。また、端板６に、錠ケース３に対して外嵌筒体６２を介して鎌部材出退方向に移動自在に外嵌する角筒状の嵌合筒体４５が後方突出状に設けられ、嵌合筒体４５の上部と下部とに鎌部材出退方向の長孔４６がそれぞれ設けられ、錠ケース３の前部の上部と下部とに、長孔４６，６４に対応してタップネジ孔４７が設けられており、長孔４６，６４に挿通されかつタップネジ孔４７に螺合されるビス等の上下一対の締結具４９により、嵌合筒体４５を錠ケース３に対して長孔４６の範囲で鎌部材８の出退方向に移動調整自在に締め付け固定すると共に、中間筒体５７を錠ケース３に対して長孔６４の範囲で鎌部材８の出退方向に移動調整自在に締め付け固定するようにしている。
【００２９】
従って、端板６が錠ケース３に対して鎌部材８の出退方向に移動調整自在に取り付けられ、中間筒体５７が錠ケース３に対して鎌部材８の出退方向に移動調整自在に取り付けられている。
図１１に示すように、クッション材５１は戸２の上下方向全長に亘るように上下方向に長い板状に形成され、クッション材５１の前面側が円弧状に膨出すると共に前面側に挟持板５６等が係合する係合凹部７０が設けられている。クッション材５１の背面にはクッション材５１を戸２の戸枠側端面２ａに接着するための両面接着テープ７１が設けられている。
【００３０】
また、クッション材５１に挟持板５６の外嵌筒体６２が挿通される挿通孔５２が設けられ、クッション材５１が挿通孔５２を介して外嵌筒体６２に外嵌され、クッション材５１の挿通孔５２の上下に、前記締結具６８が挿通される貫通孔７３が設けられており、クッション材５１の挿通孔５２の孔外周部が挟持板５６と端板６との間で挟持され、挟持板５６と端板６とをクッション材５１の孔外周部を挟んで前記締結具６８で締め付け固定するようにしている。
【００３１】
上記第３実施形態によれば、前記第１実施形態の場合と同様の作用効果を有する他に、クッション材５１によって、戸２を閉める際の騒音の発生を効果的に防止することができる。
しかも、戸２の戸枠側端面２ａに接着されるクッション材５１を設けることによって、鎌部材８が戸枠４に設けた受け体１０の係止部１６に届きにくくなって、戸２を戸枠４に対してうまく施錠することができなくなったり、鎌部材８の受け体１０の係止部１６への係合が緩くなって施錠が甘くなったりするのを、錠ケース３を端板６に対して鎌部材出退
方向に移動調整して鎌部材８の戸枠４側への突出度を調整することにより確実に防止でき、クッション材５１を設けることによって錠装置１の機能に支障が生じないようになし得る。
【００３２】
また、第３実施形態では、戸２の戸枠側端面２ａに取り付けられる端板６と、端板６との間でクッション材５１を挟持する挟持板５６とが、戸２に埋設される錠ケース３とは別体に構成されているため、クッション材５１を端板６と挟持板５６との間で挟持するには、挟持板５６の外嵌筒体６２をクッション材５１の挿通孔５２に前側から挿入した後に、ビス等の締結具６８で挟持板５６を端板６に対して締め付け固定すればよく、クッション材５１を挿通孔５２を介して錠ケース３の後端から外嵌してその前端まで移動させるような面倒な作業が不要になり、クッション材５１を端板６と挟持板５６との間に配置することが非常に簡単な作業で済むようになる。
【００３３】
なお、前記第３実施形態では、中間筒体５７が、端板６の嵌合筒体４５及び挟持板５６の外嵌筒体６２とは別体に構成されているが、これに代え、中間筒体５７を、端板６の嵌合筒体４５又は挟持板５６の外嵌筒体６２と一体に構成するようにしてもよい。
なお、前記実施形態では、端板６に、錠ケース３に対して鎌部材８の出退方向に移動自在に外嵌する嵌合筒体４５が設けられ、嵌合筒体４５を錠ケース３に対して鎌部材８の出退方向に移動調整自在に締め付け固定するようにしているが、これに代え、端板６に嵌合筒体４５を設けることなく、端板６を錠ケース３に対して係合溝やステー等を介して鎌部材８の出退方向に移動調整自在に固定するようにしてもよい。
【００３４】
また、前記第３実施形態では、挟持板５６に、錠ケース３に対して鎌部材８の出退方向に移動自在に外嵌する外嵌筒体６２が設けられ、挟持板５６は外嵌筒体６２を介して錠ケース３に対して鎌部材８の出退方向に移動調整自在に取り付けられているが、これに代え、挟持板５６に外嵌筒体６２を設けることなく、挟持板５６を錠ケース３に対して係合溝やステー等を介して鎌部材８の出退方向に移動調整自在に固定するようにしてもよい。
【符号の説明】
【００３５】
１      錠装置
２      戸
２ａ    戸枠側端面
３      錠ケース
４      戸枠
６      端板
８      鎌部材
１６    係止部
４１    固定具
４５    嵌合筒体
４６    長孔
４９    締結具
５１    クッション材
５２    挿通孔
５６    挟持板
６２    外嵌筒体
６８    締結具
【図１】
2013234471.tif 000003
【図２】
2013234471.tif 000004
【図３】
2013234471.tif 000005
【図４】
2013234471.tif 000006
【図５】
2013234471.tif 000007
【図６】
2013234471.tif 000008
【図７】
2013234471.tif 000009
【図８】
2013234471.tif 000010
【図９】
2013234471.tif 000011
【図１０】
2013234471.tif 000012
【図１１】
2013234471.tif 000013